(57)【要約】【課題】ネットワーク装置に含まれる多数のネットワーク管理情報から、そのネットワーク状態を、オペレータが一見して直感的に認識することができる表示装置等を提供する。【解決手段】ＳＮＭＰのＭＩＢに基づく管理情報を蓄積した管理情報蓄積手段と、多数の小表示領域の配列からなる２次元画像を表示する表示手段と、小表示領域毎に、各管理情報を割り当てる表示領域割当手段と、管理情報の値に応じて、小表示領域を２色以上の異なる色で、表示手段に表示する表示制御手段とを有する。表示制御手段は、小表示領域の色を、当該管理情報の値に応じて変化させる。表示手段は、正方形又は長方形の２次元画像を表示し、表示領域割当手段は、管理情報を第１の情報特性と第２の情報特性とに分類し、当該管理情報を、第１の情報特性に応じて縦又は横方向の位置に決定すると共に、第２の情報特性に応じて横又は縦方向の位置に決定する。【選択図】図２
2009260755.tif 000002
【特許請求の範囲】
【請求項１】
管理対象となるネットワーク装置に含まれる多数の管理情報を表示する表示装置において、
前記管理情報を蓄積した管理情報蓄積手段と、
多数の小表示領域の配列からなる２次元画像を表示する表示手段と、
前記小表示領域毎に、各管理情報を割り当てる表示領域割当手段と、
前記管理情報の値に応じて、前記小表示領域を２色以上の異なる色で、前記表示手段に表示する表示制御手段と
を有することを特徴とする表示装置。
【請求項２】
前記表示手段は、正方形又は長方形の２次元画像を表示し、
前記表示領域割当手段は、前記管理情報を第１の情報特性と第２の情報特性とに分類し、当該管理情報を、第１の情報特性に応じて縦又は横方向の位置に決定すると共に、第２の情報特性に応じて横又は縦方向の位置に決定する
ことを特徴とする請求項１に記載の表示装置。
【請求項３】
前記表示領域割当手段は、当該管理情報における前記小表示領域の位置を、
第１の情報特性としてハードウェア関連特性からソフトウェア関連特性に向けて決定すると共に、
第２の情報特性として動的特性から静的特性に向けて決定する
ことを特徴とする請求項２に記載の表示装置。
【請求項４】
前記表示制御手段は、前記小表示領域の色を、当該管理情報の値の最小値から最大値に向けて、又は、当該管理情報の値の平均値から最小値及び／若しくは最大値に向けて、変化させることを特徴とする請求項１から３のいずれか１項に記載の表示装置。
【請求項５】
前記管理情報は、ＳＮＭＰ(Simple Network Management Protocol)のＭＩＢ(Management Information Base)に基づくものであることを特徴とする請求項１から４のいずれか１項に記載の表示装置。
【請求項６】
ネットワーク状態に応じた特定状態画像を予め蓄積した特定状態画像蓄積手段と、
前記表示手段に表示すべき２次元画像と類似する、前記特定状態画像蓄積手段に蓄積された特定状態画像を検索する類似画像検索手段と、
検索された特定状態画像におけるネットワーク状態にあることを表示する状態表示制御手段と
を更に有することを特徴とする請求項１から５のいずれか１項に記載の表示装置。
【請求項７】
前記表示手段に表示すべき２次元画像を、時系列に記録する時系列画像記録手段を更に有し、
前記特定状態画像蓄積手段は、更に、時系列の複数の特定状態画像を蓄積しており、
前記類似画像検索手段は、前記時系列画像記録手段に記録された時系列の複数の２次元画像と類似する、前記特定状態画像蓄積手段に蓄積された時系列の複数の特定状態画像を検索することを特徴とする請求項６に記載の表示装置。
【請求項８】
管理対象となるネットワーク装置に含まれる多数の管理情報を表示する表示装置に搭載されたコンピュータを機能させるプログラムにおいて、
前記管理情報を蓄積した管理情報蓄積手段と、
多数の小表示領域の配列からなる２次元画像を表示する表示手段と、
前記小表示領域毎に、前記管理情報を割り当てる表示領域割当手段と、
前記管理情報の値に応じて、前記小表示領域を２色以上の異なる色で、前記表示手段に表示する表示制御手段と
してコンピュータを機能させることを特徴とするプログラム。
【請求項９】
管理対象となるネットワーク装置に含まれる多数の管理情報を表示する表示装置の表示方法であって、
表示される２次元画像は、多数の小表示領域の配列からなり、
前記小表示領域毎に、各管理情報が割り当てられており、
前記管理情報の値に応じて、前記小表示領域を２色以上の異なる色で表示する
ことを特徴とする表示方法。
【発明の詳細な説明】
【技術分野】
【０００１】
本発明は、ネットワーク管理情報を表示する表示装置、プログラム及び方法に関する。
【背景技術】
【０００２】
従来、ＴＣＰ／ＩＰ(Transmission Control Protocol / Internet Protocol)ネットワークを管理するためのプロトコルとして、ＩＥＴＦ(Internet Engineering Task Force)によって標準化されたＳＮＭＰ(Simple Network Management Protocol)がある。
【０００３】
ＳＮＭＰによれば、「マネージャ」が、「エージェント」に対して「プロトコル仕様」によって通信し、「ＭＩＢ(Management Information Base)」に記録される管理情報を取得し且つ更新する。「マネージャ」は、ネットワーク管理装置で実行されるものであって、エージェントから管理情報を取得し、且つ、その管理情報を更新する。「エージェント」は、管理対象となるネットワーク装置で実行されるものであって、マネージャからの要求に応じてＭＩＢの管理情報を検索し、読み出された管理情報の値（数値又は文字）をマネージャへ送信し、且つ、当該管理情報の更新を受け付ける。「プロトコル仕様」は、マネージャとエージェントとの間のやりとりを規定するものであって、ＲＦＣ(Request for Comment)で規定されている。「ＭＩＢ」は、管理情報のデータ構造及びパラメータを、共通フォーマットで定義したデータベースである。
【０００４】
ＭＩＢは、ネットワーク装置（エージェント）の様々な管理情報を含む。例えば、ネットワーク装置が、リピータハブであればコリジョン数及びエラーフレーム数等であり、ＬＡＮスイッチであればＶＬＡＮ設定情報等であり、ルータであればＩＰパケット受信数又はルーティングテーブル等である。また、ネットワーク装置における機器名称、起動後の経過時間、設置場所のような情報も含まれる。
【０００５】
ＭＩＢは、管理目的によって様々なグループに分類され、ファイルシステムのディレクトリのようなツリー構造を有する。管理情報及びグループの識別は、ＯＩＤ(Object IDentifier、オブジェクト識別子)によって管理する。即ち、ＯＩＤと管理情報とは、１対１に対応付けられる。また、ツリー構造の分岐点毎に、分岐点番号を「．」で区切って、各管理情報及びグループを指定する。例えば、システム稼動時間を表わすＯＩＤの「sysUpTime」は、「1.3.6.1.2.1.1.3」で表わされる。
【０００６】
図１は、ＳＮＭＰを用いたシーケンス図である。
【０００７】
図１によれば、ネットワーク管理装置（マネージャ）は、取得すべき管理情報のＯＩＤを指定して、ネットワーク装置（エージェント）へ、管理情報の取得要求(GetRequest, GetNextRequest)を送信する。これに対し、ネットワーク装置は、ＭＩＢから、そのＯＩＤに対応する値を取得する。そして、ネットワーク装置は、ネットワーク管理装置へ、その値を含む取得応答を返信する。尚、管理情報の一括取得要求(GetBulkRequest)に対しては、その範囲の全ての管理情報が取得応答に含められる。
【０００８】
ネットワーク管理装置は、ネットワーク装置から受信したそのＯＩＤに対応する値を、ディスプレイに表示する。これによって、ネットワーク管理装置を操作するオペレータは、そのＯＩＤに対応する値を視認することができ、ネットワーク状態を判断することができる。
【０００９】
また、ネットワーク管理装置は、特定の管理情報における時系列な変化をグラフ化して表示することもできる（例えば特許文献１参照）。この場合、ネットワーク管理装置は、所定時間毎に、ＯＩＤに対応する値をネットワーク装置から取得し、その値を時刻情報と共に保持する。オペレータは、そのＯＩＤの値における時系列な変化を見ることによって、ネットワーク状態の変化を判断することができる。
【００１０】
【特許文献１】特開２００４−２８０５９２号公報
【発明の開示】
【発明が解決しようとする課題】
【００１１】
しかしながら、ネットワーク状態を詳細に管理するＳＮＭＰによれば、ＭＩＢに含まれる管理情報の数も膨大となっている。また、前述したように、各管理情報及びグループを特定するＯＩＤの表現は、人間のオペレータには極めて認識しずらいものとなっている。オペレータは、適切なＯＩＤを指定し、その値（数値又は文字）及びその値の変化を知ることによって、ネットワーク状態を認識しなければならない。結果的に、オペレータには、熟練した経験が必要とされる。
【００１２】
そこで、本発明は、ネットワーク装置に含まれる多数のネットワーク管理情報から、そのネットワーク状態を、オペレータが一見して直感的に認識することができる表示装置、プログラム及び方法を提供することを目的とする。
【課題を解決するための手段】
【００１３】
本発明によれば、管理対象となるネットワーク装置に含まれる多数の管理情報を表示する表示装置において、
管理情報を蓄積した管理情報蓄積手段と、
多数の小表示領域の配列からなる２次元画像を表示する表示手段と、
小表示領域毎に、各管理情報を割り当てる表示領域割当手段と、
管理情報の値に応じて、小表示領域を２色以上の異なる色で、表示手段に表示する表示制御手段と
を有することを特徴とする。
【００１４】
本発明の表示装置における他の実施形態によれば、
表示手段は、正方形又は長方形の２次元画像を表示し、
表示領域割当手段は、管理情報を第１の情報特性と第２の情報特性とに分類し、当該管理情報を、第１の情報特性に応じて縦又は横方向の位置に決定すると共に、第２の情報特性に応じて横又は縦方向の位置に決定することも好ましい。
【００１５】
本発明の表示装置における他の実施形態によれば、
表示領域割当手段は、当該管理情報における小表示領域の位置を、
第１の情報特性としてハードウェア関連特性からソフトウェア関連特性に向けて決定すると共に、
第２の情報特性として動的特性から静的特性に向けて決定することも好ましい。
【００１６】
本発明の表示装置における他の実施形態によれば、表示制御手段は、小表示領域の色を、当該管理情報の値の最小値から最大値に向けて、又は、当該管理情報の値の平均値から最小値及び／若しくは最大値に向けて、変化させることも好ましい。
【００１７】
本発明の表示装置における他の実施形態によれば、管理情報は、ＳＮＭＰのＭＩＢに基づくものであってもよい。
【００１８】
本発明の表示装置における他の実施形態によれば、
ネットワーク状態に応じた特定状態画像を予め蓄積した特定状態画像蓄積手段と、
表示手段に表示すべき２次元画像と類似する、特定状態画像蓄積手段に蓄積された特定状態画像を検索する類似画像検索手段と、
検索された特定状態画像におけるネットワーク状態にあることを表示する状態表示制御手段と
を更に有することも好ましい。
【００１９】
本発明の表示装置における他の実施形態によれば、
表示手段に表示すべき２次元画像を、時系列に記録する時系列画像記録手段を更に有し、
特定状態画像蓄積手段は、更に、時系列の複数の特定状態画像を蓄積しており、
類似画像検索手段は、時系列画像記録手段に記録された時系列の複数の２次元画像と類似する、特定状態画像蓄積手段に蓄積された時系列の複数の特定状態画像を検索することも好ましい。
【００２０】
本発明によれば、管理対象となるネットワーク装置に含まれる多数の管理情報を表示する表示装置に搭載されたコンピュータを機能させるプログラムにおいて、
管理情報を蓄積した管理情報蓄積手段と、
多数の小表示領域の配列からなる２次元画像を表示する表示手段と、
小表示領域毎に、管理情報を割り当てる表示領域割当手段と、
管理情報の値に応じて、小表示領域を２色以上の異なる色で、表示手段に表示する表示制御手段と
してコンピュータを機能させることを特徴とする。
【００２１】
本発明によれば、管理対象となるネットワーク装置に含まれる多数の管理情報を表示する表示装置の表示方法であって、
表示される２次元画像は、多数の小表示領域の配列からなり、
小表示領域毎に、各管理情報が割り当てられており、
管理情報の値に応じて、小表示領域を２色以上の異なる色で表示する
ことを特徴とする。
【発明の効果】
【００２２】
本発明の表示装置、プログラム及び方法によれば、ネットワーク装置に含まれる多数のネットワーク管理情報から、そのネットワーク状態を、オペレータが一見して直感的に認識することができる。
【発明を実施するための最良の形態】
【００２３】
以下では、図面を用いて、本発明を実施するための最良の形態について詳細に説明する。
【００２４】
図２は、本発明によってディスプレイに表示される２次元画像である。
【００２５】
本発明によれば、１つの管理情報は、複数の情報特性を有する。第１の情報特性と第２の情報特性とに分類した場合、例えば、第１の情報特性を「ハードウェア関連特性〜ソフトウェア関連特性」とし、第２の情報特性を「動的特性〜静的特性」とすることができる。
【００２６】
図２によれば、多数の小表示領域の配列からなる２次元画像が表示されている。縦軸に「ハードウェア関連特性〜ソフトウェア関連特性」が表示され、横軸に「動的特性〜静的特性」が表示されている。ＳＮＭＰにおけるＭＩＢにおける各管理情報を、「ハードウェア関連特性〜ソフトウェア関連特性」及び「動的特性〜静的特性」に分類し、その度合いに応じて、小表示領域に割り当てる。
【００２７】
例えば、ポートを通過する「通過パケット数」の管理情報は、「ハードウェア的」且つ「動的特性」である。また、「ＣＰＵ利用率」「メモリ利用率」の管理情報は、「ソフトウェア的」且つ「動的特性」である。更に、ネットワーク装置に与えられた管理用のＩＰアドレスの管理情報は、「ソフトウェア的」且つ「静的特性」である。
【００２８】
図２によれば、小表示領域は、４段階のグレースケール階調「白色」「薄灰色」「濃灰色」「黒色」で表示されている。この階調色は、その管理情報の値における最大値を「黒色」に割り当て、最小値を「白色」に割り当てている。例えば、管理情報が「通過パケット数」である場合、通過パケット数が０ならば「白色」で表示され、最大数ならば「黒色」で表示される。尚、最大値及び最小値は、予め決定されたものあってもよいし、一定時間において取得された値の中で決定されたものであってもよい。
【００２９】
例えば、通常、「通過パケット数」が割り当てられた小表示領域が、通常、「薄灰色」で表示されているにも拘わらず、「黒色」に変化した場合、通過パケット数が最大数近くまで増加したことを意味する。図２の２次元画像によれば、「ソフトウェア的」且つ「動的特性」の部分が「黒色」に変化していることが理解できる。
【００３０】
尚、図２によれば、管理情報の情報特性を２つに分類したために、２次元画像は、正方形又は長方形で表されることが好ましい。各情報特性の度合いに応じて、その管理情報を適切な位置に配列することができる。
【００３１】
しかしながら、本発明によれば、２次元画像は、正方向又は長方形に限られることなく、管理情報の情報特性の分類に応じて様々な形状であってもよい。例えば、三角形でも星形でもよい。どのような形状の２次元画像であっても、その中が、小表示領域に区分されていることが必要となる。
【００３２】
図３は、本発明における表示装置の機能構成図である。
【００３３】
表示装置１は、管理対象となるネットワーク装置に含まれる多数の管理情報を表示する。図３によれば、表示装置１は、表示部１０と、管理情報蓄積部１１と、表示領域割当部１２と、表示制御部１３と、特定状態画像蓄積部１４と、類似画像検索部１５と、状態表示制御部１６と、時系列画像記録部１７と、マネージャ機能部１８と、通信インタフェース部１９とを有する。表示部１０及び通信インタフェース部１９以外のこれら機能構成部は、表示装置に搭載されたコンピュータを機能させるプログラムを実行することによって実現される。
【００３４】
表示部１０は、オペレータによって視認できるディスプレイであって、多数の小表示領域の配列からなる２次元画像を表示する。表示部１０は、表示制御部１３から出力された２次元画像を表示すると共に、状態表示制御部１６から出力されたネットワーク状態内容も表示する。
【００３５】
マネージャ機能部１８は、ＳＮＭＰのマネージャの機能を有し、通信インタフェース部１９を介して、管理対象となるネットワーク装置から管理情報を取得する。管理情報は、ＳＮＭＰのＭＩＢに基づくものである。取得された管理情報は、管理情報蓄積部１１へ出力される。
【００３６】
管理情報蓄積部１１は、管理情報を蓄積する。
【００３７】
表示領域割当部１２は、小表示領域毎に、各管理情報を割り当てる。２次元画像が正方形又は長方形である場合、表示領域割当部１２は、当該管理情報を、第１の情報特性に応じて縦又は横方向の位置に決定すると共に、第２の情報特性に応じて横又は縦方向の位置に決定する。例えば、当該管理情報における小表示領域の位置を、第１の情報特性としてハードウェア関連特性からソフトウェア関連特性に向けて決定すると共に、第２の情報特性として動的特性から静的特性に向けて決定する。
【００３８】
表示制御部１３は、管理情報の値に応じて、小表示領域を２色以上の異なる色で、表示部１０に表示する。小表示領域の色は、当該管理情報の値の最小値から最大値に向けて、又は、当該管理情報の値の平均値から最小値及び／若しくは最大値に向けて、変化させる。尚、色の決定については、人間の視認性の観点から、例えば、正常状態を「白色」とし、異常状態を「有色」とすることも好ましい。尚、表示部１０へ表示すべき２次元画像は、類似画像検索部１５及び時系列画像記録部１７へも出力される。
【００３９】
例えば、管理情報が「通過パケット数」である場合、そのネットワーク装置の１つのポートにおける通過パケット数の最小数から最大数までの間で、小表示領域の色を変化させる。他の実施形態として、例えば、管理情報について、そのポートにおける「入力パケット数」及び「出力パケット数」が計測されている場合、通常、「入力パケット数−出力パケット数＝ほぼ零」となる。そこで、「ほぼ零」となる状態は「白色」（正常）を表示し、「正」となる状態は「青色」（異常）を表示し、「負」となる状態は「赤色」（異常）を表示することも好ましい。色の変化に応じて、オペレータは、ネットワーク状態を視認することができる。
【００４０】
オペレータは、２次元画像の色の状態は一見して直感的に視認でき、ネットワーク状態を概略的に把握することができる。しかし、具体的な異常ネットワーク状態を特定するのは、幾分難しい。異常ネットワーク状態の場合、その２次元画像がどのような色で構成されているかを予め知っておく必要がある。そこで、本発明の表示装置は、特定状態画像蓄積部１４と、類似画像検索部１５と、状態表示制御部１６と、時系列画像記録部１７とを更に有する。
【００４１】
特定状態画像蓄積部１４は、ネットワーク状態に応じた特定状態画像を予め蓄積する。具体的には、異常ネットワーク状態の状態画像を蓄積する。また、特定状態画像蓄積部１４は、時系列の複数の特定状態画像を蓄積してもよい。具体的には、時系列変化によって特定できる異常ネットワーク状態の状態画像を蓄積する。
【００４２】
時系列画像記録部１７は、表示部１０に表示すべき２次元画像を、時系列に記録する。記録された時系列の複数の２次元画像は、類似画像検索部１５へ出力される。尚、時系列画像記録部１７が記録する時間間隔は、特定状態画像蓄積部１４に蓄積された時系列の複数の特定状態画像の時間間隔と同じであることが好ましい。
【００４３】
類似画像検索部１５は、表示制御部１３から出力された表示部１０に表示すべき２次元画像と類似する、特定状態画像蓄積部１４に蓄積された特定状態画像を検索する。類似する特定状態画像が検索できた場合、その特定状態画像に対応するネットワーク状態が発生していると判断することができる。
【００４４】
また、類似画像検索部１５は、時系列画像記録部１７から出力された表示部１０に表示すべき時系列の複数の２次元画像と類似する、特定状態画像蓄積部１４に蓄積された時系列の複数の特定状態画像を検索する。類似する時系列の特定状態画像が検索できた場合、その特定状態画像に対応するネットワーク状態が発生していると判断することができる。
【００４５】
状態表示制御部１６は、検索された特定状態画像におけるネットワーク状態にあることを表示する。具体的には、特定状態画像に対応付けられたネットワーク状態内容を、表示部１０へ出力する。オペレータは、表示部１０に表示されたそのネットワーク状態内容を理解することができる。
【００４６】
図４は、２次元画像における小表示領域の第１の配置例である。
【００４７】
図４によれば、１０ポートを備えたスイッチ装置における２次元画像が表示されている。ここでは、ポート毎に１つの２次元画像が対応付けられており、ポート数全体の複数の２次元画像が組み合わされている。ポート毎の管理情報が、２つの情報特性に応じて配列されており、異常を発生したポートを一見して特定できる。それに加えて、そのポートが、例えば、ハードウェア関連障害なのか又はソフトウェア関連障害なのか、及び、動的特性の障害なのか又は静的特性の障害なのかを、直感的に把握することができる。
【００４８】
例えば、図４によれば、ポート６について、「ソフトウェア特性」且つ「動的特性」の管理情報に異常が発生していることが理解できる。
【００４９】
図５は、２次元画像における小表示領域の第２の配置例である。
【００５０】
図５によれば、ネットワークシステムにおける複数のスイッチ装置に対する、１つの２次元画像が表示されている。ここでは、複数のスイッチ装置の管理情報を一括して、１つの２次元画像に配列する。ネットワーク全体について、例えば、ハードウェア関連障害なのか又はソフトウェア関連障害なのか、及び、動的特性の障害なのか又は静的特性の障害なのかを、直感的に把握することができる。
【００５１】
図６は、現在の２次元画像と異常状態画像との類似性を表す説明図である。
【００５２】
図６によれば、現在の１つの２次元画像と、異常状態Ａの２次元画像とが類似していることを表している。このような画像の類似性は、既存技術である画像の特徴抽出方法を用いることができる。
【００５３】
図７は、現在の時系列の２次元画像と、時系列の異常状態画像との類似性を表す説明図である。
【００５４】
図７によれば、図６のように１枚の２次元画像だけで類似性の高い異常状態画像を検索するものではなく、時系列の複数の２次元画像を用いて類似性の高い異常状態画像を検索することができる。１つのネットワーク装置が故障した場合、その故障に至った時系列の複数の２次元画像に近い、時系列の複数の状態画像を検索することによって、その異常ネットワーク状態を特定することができる。また、正常動作中のネットワーク装置の故障危険度を類推することもできる。これにより、危険性の高いネットワーク装置のグループを予め抽出することもでき、障害の予見可能性を高めることもできる。
【００５５】
このように、類似画像の相関関数で検索することにより、オペレータが、ＯＩＤの数値に基づいて数千、数万のデータを調べる必要がない。また、本発明によれば、画像の特徴抽出方法によって類似画像を検索するために、瞬時に検索することができる。
【００５６】
以上、詳細に説明したように、本発明の表示装置、プログラム及び方法によれば、ネットワーク装置に含まれる多数のネットワーク管理情報から、そのネットワーク状態を、オペレータが一見して直感的に認識することができる。
【００５７】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５８】
【図１】ＳＮＭＰを用いたシーケンス図である。
【図２】本発明によってディスプレイに表示される２次元画像である。
【図３】本発明における表示装置の機能構成図である。
【図４】２次元画像における小表示領域の第１の配置例である。
【図５】２次元画像における小表示領域の第２の配置例である。
【図６】現在の２次元画像と異常状態画像との類似性を表す説明図である。
【図７】現在の時系列の２次元画像と、時系列の異常状態画像との類似性を表す説明図である。
【符号の説明】
【００５９】
１  表示装置、ネットワーク管理装置（マネージャ）
１０  表示部
１１  管理情報蓄積部
１２  表示領域割当部
１３  表示制御部
１４  特定状態画像蓄積部
１５  類似画像検索部
１６  状態表示制御部
１７  時系列画像記録部
１８  マネージャ機能部
１９  通信インタフェース部
２  ネットワーク装置（エージェント）
【図１】
2009260755.tif 000003
【図２】
2009260755.tif 000004
【図３】
2009260755.tif 000005
【図４】
2009260755.tif 000006
【図５】
2009260755.tif 000007
【図６】
2009260755.tif 000008
【図７】
2009260755.tif 000009